(57)【要約】      （修正有）【課題】従来のボディタオルでは得られなかった凸条部による強い感触を備えたボディタオルを提供する。【解決手段】本発明のボディタオルは、緯編地からなり、１、又は複数コース置きに、太糸１により編成される１、又は複数のコースからなる凸条部１０と、太糸１より細い地糸２により隣り合う凸条部１０，１０間に編成される地編部２０とを有する。太糸１は編糸を筒状編地に編成したリリアン糸からなることが好ましい。地編部より太い糸により凸条部を形成することにより、凸条部による強い感触を得る。【選択図】図４
2020010876.tif 000002
【特許請求の範囲】
【請求項１】
緯編地からなるボディタオルであって、
前記緯編地の１、又は複数コース置きに、太糸により編成される１、又は複数のコースからなる凸条部と、
隣り合う前記凸条部間に前記太糸より細い地糸により編成される地編部と
を有するボディタオル。
【請求項２】
前記太糸は、編糸を筒状編地に編成したリリアン糸からなる請求項１に記載のボディタオル。
【請求項３】
前記リリアン糸を編成する編糸は、ウーリー糸である請求項２に記載のボディタオル。
【請求項４】
前記太糸は、前記地糸の８倍以上のデニールを有する請求項１から請求項３のいずれか１項に記載のボディタオル。
【請求項５】
前記太糸は、前記地糸の１２倍以上のデニールを有する請求項１から請求項３のいずれか１項に記載のボディタオル。
【請求項６】
前記凸条部は、天竺編に編成されている請求項１から請求項５のいずれか１項に記載のボディタオル。
【請求項７】
隣り合う前記凸条部間に編成される１つの地編部は、少なくとも５コース以上に編成されている請求項２から請求項６のいずれか１項に記載のボディタオル。
【発明の詳細な説明】
【技術分野】
【０００１】
この発明は、浴室等で体を洗うためのボディタオルに関し、特に、横縞状に設けられる凸条を備えたボディタオルに関する。
【背景技術】
【０００２】
本発明者は、先に、肌触りの良い天然繊維糸からなる外側筒状編地部の内部に、石鹸の泡立ちの良好な化学繊維糸からなる内側筒状編地部を重ね合わせることで、肌触りの良さと、泡立ちの良さを兼ね備えたボディタオルを提案している（特許文献１参照）。
【０００３】
ところが、特許文献１のボディタオルは、外側筒状編地部が泡立ちに欠けることから、本発明者はこれを改善すべく、さらに特許文献２に記載のボディタオルを提案している。特許文献２に係るボディタオルは、緯編地からなる外側筒状編地の所定コース置きに、芯糸の周囲に多数のループを形成する花糸を配置して、花糸の上から押え糸を巻き付けた意匠撚糸により横縞状にパイル状の凸条を形成することで、肌触りを損なうことなく泡立ちの良さを具備した外側編地部を提供するものである。
【先行技術文献】
【特許文献】
【０００４】
【特許文献１】特開２０１３−２３０１７９号公開公報
【特許文献２】特開２０１６−０４３１６０号公開公報
【発明の概要】
【発明が解決しようとする課題】
【０００５】
しかし、特許文献２に係るボディタオルは、凸条がパイル状の意匠撚糸により形成されていることから、凸条によって生じる感触が柔らかく、凸条による強い感触を好む人の期待に添えないという課題があった。
本発明は、上記課題に鑑みてなされたものであり、従来のボディタオルでは得られなかった凸条による強い感触を備えたボディタオルの提供を目的とする。
【課題を解決するための手段】
【０００６】
上記課題を解決するためになされた発明は、緯編地からなるボディタオルであって、前記緯編地の１、又は複数コース置きに、太糸により編成される一、又は複数のコースからなる凸条部と、隣り合う前記凸条部間に前記太糸より細い地糸により編成される地編部とを有することを特徴とする。
【０００７】
このように、地編部より太い糸により凸条部を形成することにより、従来のボディタオルでは得られなかった凸条部による強い感触を得ることができる。
【０００８】
前記太糸は、編糸を筒状編地に編成したリリアン糸からなることが好ましい。こうすることで、凸条部に独特のコロッとした肌当たりを付与することができるとともに、リリアン糸の内部に泡を蓄えて、より泡立ちを良くすることができる。
【０００９】
前記リリアン糸を編成する編糸は、ウーリー糸であることが好ましい。これにより、凸条部の肌触りが固くなり過ぎることを抑制するとともに、ボディタオルの泡立ちをさらに高めることができる。
【００１０】
前記太糸は、前記地糸の８倍以上のデニールを有することが好ましく、こうすることでボディタオルによる強い摩擦力を感じることができる。また、前記太糸は、前記地糸の１２倍以上のデニールを有することが、さらに好ましく、こうすることで、凸条部の高さと幅を十分に確保して、凸条部が肌に当たる感触をさらに高めることができる。
尚、ここで、「地糸の８倍以上のデニール」とは、地編部が異なるデニールの複数種類の地糸から編成される場合は、最も細い地糸の８倍以上をいうものとし、１２倍以上についても同様である。また「デニール」とは、９０００メートルあたりの糸の質量をグラムで表したものをいうものとする。
【００１１】
前記凸条部は、天竺編に編成されていることが好ましい。こうすることで、太糸の太さの大半を天竺編組織の裏目側に突出させることができるので、より凸条部の突出高さを高くすることができる。
【００１２】
隣り合う前記凸条部間に編成される１つの地編部は、少なくとも５コース以上に編成されていることが好ましい。前記太糸が、リリアン糸からなる場合や地糸の６倍以上となる場合は、地編部のコースのうち凸条部に隣接する２つのコースは、殆ど目が潰れてしまうため、４コース以下では、隣り合う凸条部が接近し過ぎて、当該ボディタオルの使用者が凸条部の凹凸感を感じられない虞がある。
【発明の効果】
【００１３】
以上、本発明のボディタオルによれば、これまでの凸条を備えたボディタオルにはなかった凸条が肌に当たる独特の感触を得ることができる。
【図面の簡単な説明】
【００１４】
【図１】本発明の第１実施形態に係るボディタオルの斜視図である。
【図２】図１のボディタオルを開いた状態で、その内側を見た斜視図である。
【図３】図１のボディタオルを開いた状態で、その外側を見た斜視図である。
【図４】図１のボディタオルの要部拡大図である。
【図５】図１のボディタオルに用いたリリアン糸の斜視図である。
【図６】図１のボディタオルの編組織を示した模式図である。
【発明を実施するための形態】
【００１５】
以下、適宜図面を用いながら本発明の実施形態について詳述する。ただし、本発明は以下の実施形態に限られるものではない。
図１、乃至図４は、本発明の第１実施形態に係るボディタオル１００を示している。ボディタオル１００は、丸編み機、又は前後一対に針床を有する横編機により緯編組織に編成された筒状編地からなる。ボディタオル１００は、筒状編地の幅方向（図１の上下方向）に２つ折りにした状態で、両端（図１の左右方向の両端）の開口を縫合し、幅方向の一端側に形成した手入れ口１１と、幅方向他端側の袋底となる折返し部１２と、長手方向（図１の左右方向）の両端の縫合部１３，１３とにより扁平の袋状に形成されている。
【００１６】
ボディタオル１００は、図４、及び図６に示すように、緯編地の１、又は複数コース置きに太糸１により編成される１、又は複数コースからなる凸条部１０と、太糸１より細い地糸２により、隣り合う凸条部１０，１０間に編成される地編部２０とを有している。図４では、１コースのみからなる凸条部１０と、１１コースからなる地編部２０が交互に繰り返す例を示している。
【００１７】
太糸１は、地糸２より太い糸であれば、特に限定されないが、図５、図６に示すように、編糸３を丸編み機により筒状編地に編成したリリアン糸からなることが好ましい。こうすることで、凸条部１０に、コロッとした肌当たりを付与できるとともに、太糸１内部に空洞を設け、該空洞内に石鹸や水を蓄えることにより、ボディタオル１００の泡立ちの良さを高めることができる。
【００１８】
太糸１に用いるリリアン糸を編成する編糸３は、特に限定されず、天然糸、化繊糸、いずれの糸も用いることができ、良好な泡立ちを得る上で化繊糸が好ましく、ナイロン糸、ポリエステル糸、ポリエチレン糸が特に好ましく、ウーリー糸がさらに好ましい。
【００１９】
太糸１に用いるリリアン糸は、専用の丸編み機を用いて編成され、周方向に複数のループ１ａが並ぶ（周方向に複数のウエールが並ぶ）丸編地に編成されたリリアン糸が好適に用いられる。（図５は、周方向に３つのループが並ぶ例を示している。）リリアン糸の各ウエールは、１つの給糸口から給糸した１本の同じ糸から編成してもよいし、ウエールごとに異なる給糸口から給糸した異なる糸により編成してもよい。
【００２０】
リリアン糸からなる太糸１に用いる編糸３の太さは、リリアン糸の周方向のウエール数と組み合わせて決定され、例えば、リリアン糸の周方向のウエール数が４ウエールであれば編糸３の太さは１００デニール以上２００デニール以下が好ましく、リリアン糸の周方向のウエール数が３ウエールであれば編糸３の太さは１５０デニール以上２５０デニール以下が好ましい。これ以上太い糸を用いたり、周方向のウエール数を大きくしたりすると太糸１が太くなりすぎて、太糸１によりループ１Ａが形成できなくなる虞が有る。また、これ以上、細い糸を用いたり、周方向のウエール数を少なくしたりすると、太糸１が細くなりすぎて、凸条部１０の突出高さを十分に確保できない虞が有る。因みに、図４は、２００デニールの編糸（ポリエステルウーリー糸）３を用いて、周方向に３ウエールに編成した太糸１を用いた場合を示している。
【００２１】
太糸１は、リリアン糸に限らず、高デニールの撚糸や、複数本の糸を編み込んだ組糸、複数本の木綿糸を撚り合わせたタコ糸等、公知の糸を適宜に用いることができる。
リリアン糸以外の糸を用いる場合も、天然糸、化繊糸、いずれの糸も用いることができ、化繊糸が好ましく、ナイロン糸、ポリエステル糸、ポリエチレン糸が特に好ましく、ウーリー糸がさらに好ましい。
【００２２】
また、リリアン糸を用いる場合も、リリアン糸以外の糸を用いる場合も、太糸１は、地糸２の８倍以上のデニールを有することが好ましく、１２倍以上のデニールを有することがさらに好ましい。例えば、地糸２が１５０デニールであれば、太糸１は、１２００デニール以上の糸が好ましく、１８００デニール以上がさらに好ましい。こうすることで、凸条部１０によるコロッとした肌当たりを十分に高めることができる。ここで、地糸２が複数種類の太さからなる場合は、太糸１は、最も細い地糸２の８倍以上、又は１２倍以上となるようにするとよい。
【００２３】
凸条部１０は、太糸１を緯編組織に編成して設けられる。図６では、凸条部１０が天竺編に編成された例を示しているが、リブ編組織等、公知の編成方法を適宜に用いることができる。凸条部１０は、２コース以上連続して設けてもよい。
【００２４】
地編部２０は、太糸１より細い地糸２により緯編組織に編成される。地糸２に用いる糸としては、特に限定されないが、例えば、１００デニール以上４５０デニール以下のポリエステル糸や、ポリエチレン糸、ナイロン糸等が、泡立ちに優れる点で好ましく用いられる。図４は、地糸２として、１５０デニール以上４５０デニール以下のポリエステル糸、及びポリエステルウーリー糸、ナイロン糸からなる複数種の糸を用いた例を示している。地糸２は、コースごとに異なる太さにしてもよいし、色や材質を変えることもできる。
【００２５】
ボディタオル１００を形成する際には、例えば、給糸口を複数個所有する丸編み機を用いて、１、又複数カ所の給糸口から太糸１を給糸し、他の給糸口から地糸２を給糸して、筒状編地に編成する。図１乃至図４に示したボディタオル１００は、１２カ所の給糸口を有する丸編み機の１カ所の給糸口から太糸１を給糸して、他の１１カ所の給糸口から地糸２を給糸して、全てのコースを天竺編に編成したものである。
【００２６】
筒状編地を編成したら、適宜の長さに裁断し、天竺編の裏目側が表側になるように裏返す。こうすることで、凸条部１０が外側に突出する状態となる。裏返した筒状編地は、ウエール方向に垂直な幅方向に２つ折りにして編地が４枚重なる状態にし、両端の開口を、この４枚の編地を一度に縫合するようにして閉塞するとともに、当該筒状編地を扁平の袋状に形成する。
【００２７】
ボディタオル１００を使用する際には、まず、水に浸したのち石鹸等で泡立てる。この際、ボディタオル１００は、凸条部１０が、ウーリー糸から編成されたリリアン糸からなる太糸１により編成されているので、泡立ちが良好である。
【００２８】
また、ボディタオル１００は、筒状編地に編成することで、表側にも裏側にも凸条部が形成されるため、片面だけに凸条部が設けられる場合に比べて泡立ちが良く、また、何れの側も体を洗うのに用いることができるため便利である。
【００２９】
さらに、ボディタオル１００は、筒状編地をさらに２つ折りにした袋状の内側にも凸条部１０が延在するため、内側部分まで泡立ちが良い。
【００３０】
ボディタオル１００を泡立てたら、両手を手入れ口１１から内側に入れ、縫合部１３、１３に引っかけるようにして、左右に繰り返し往復させながら体を洗う。この際、凸条部１０は、リリアン糸からなる太糸１により編成されていることから、使用者にコロッとした強い肌触りを与えることができる。
【００３１】
また、太糸１は、地糸２の８倍以上、又は１２倍以上のデニールを有することで、凸条部１０が、地編部２０に対し大きく突出するため、より強い肌触りを使用者に与えることができる。
【００３２】
さらに、凸条部１０は、天竺編に編成することで、太糸１の太さの大半が裏目側に突出することとなるので、凸条部１０の高さをより高くして、使用者により強い肌触りを与えることができる。
【００３３】
以上、本発明のボディタオルは、上述した実施形態に限られず、例えば、筒状に編成されていなくともよく、筒状をさらに２つ折りにした袋状でなくともよい。本発明のボディタオルは横編み機で編成した１枚の横編地であてもよいし、２枚の横編地を筒状に縫製したものでもよい。
【００３４】
また、本発明のボディタオルを前後一対に針床を有する横編み機により筒状に編成する場合は、前後の針床の編針にジグザグ状に編針を給糸して、筒状編地の両端を閉じるようにしてもよい。
【００３５】
凸条部は、天竺編に限らず、リブ編その他の編成方法により編成してもよく、地編組織に太糸を挿入する挿入編や、地糸と太糸によるプレーティング編にしてもよい。地編部も天竺編に限らずその他の編組織を適宜に採用できる。太糸は、編機の１つの給糸口に複数本の糸を給糸することにより設けてもよい。
【符号の説明】
【００３６】
ボディタオル１００
凸条部１０
太糸１
地編部２０
地糸２
編糸３
【図１】
2020010876.tif 000003
【図２】
2020010876.tif 000004
【図３】
2020010876.tif 000005
【図４】
2020010876.tif 000006
【図５】
2020010876.tif 000007
【図６】
2020010876.tif 000008